(57)【要約】【課題】光源の下方に視認が難しい領域が生じることを抑制できる椅子ユニットを提供する。【解決手段】椅子ユニット１Ａは、背凭れ１１を有する椅子と、背凭れ１１の後方に配置された光源２３を有する照明装置２０と、上下方向に延びる延在部材３０と、を備える。背凭れ１１は、側面視において、上方に向かうに従って後方に向かう傾斜部１１ａを有する。側面視において、延在部材３０は、傾斜部１１ａの下面のうち光源２３よりも下方に位置する部分から垂下した仮想線Ｌと、背凭れ１１との間の部分を覆っている。【選択図】図２
2020048956.tif 000002
【特許請求の範囲】
【請求項１】
背凭れを有する椅子と、
前記背凭れの後方に配置された光源を有する照明装置と、
上下方向に延びる延在部材と、を備え、
前記背凭れは、側面視において、上方に向かうに従って後方に向かう傾斜部を有し、
側面視において、前記延在部材は、前記傾斜部の下面のうち前記光源よりも下方に位置する部分から垂下した仮想線と、前記背凭れとの間の部分を覆っている、椅子ユニット。
【請求項２】
前記照明装置は、前記光源と、前記光源に電気的に接続された配線部とを有し、
前記配線部は前記延在部材の内部に収容されている、請求項１に記載の椅子ユニット。
【請求項３】
前記延在部材は、左右方向に間隔を空けて配置された一対の側壁と、前記側壁同士を接続する接続部と、を有している、請求項２に記載の椅子ユニット。
【請求項４】
床面に固定される固定部材をさらに備え、
前記側壁および前記接続部の少なくとも一方が前記固定部材に固定されている、請求項３に記載の椅子ユニット。
【請求項５】
前記照明装置は、前記光源と、前記光源を収容する本体部と、を有し、
側面視において、前記延在部材の後端面は、前記本体部の前端から垂下した直線上に延在している、請求項１から４のいずれか１項に記載の椅子ユニット。
【発明の詳細な説明】
【技術分野】
【０００１】
本発明は、椅子ユニットに関する。
【背景技術】
【０００２】
従来から、下記特許文献１に示されるような、椅子および照明装置を備えた椅子ユニットが知られている。この椅子ユニットでは、照明装置は椅子の側面（肘掛部）に取り付けられている。このような照明装置付きの椅子ユニットは、例えば劇場や講堂などにおいて、天井に取り付けられたメイン照明が消灯している場合でも通路を認識可能とするために用いられる。
【先行技術文献】
【特許文献】
【０００３】
【特許文献１】特開２００４−１５９７１１号公報
【発明の概要】
【発明が解決しようとする課題】
【０００４】
この種の椅子ユニットでは、照明装置の光源が椅子の後方に配置される場合がある。このような場合に、背凭れが傾斜していると、背凭れの下端部近傍まで光が届かずに、光源の下方であっても視認が難しい領域が生じる場合がある。椅子ユニットの照明装置によって通路を歩く歩行者にとっての歩きやすさを考慮すると、光源の下方に視認が難しい領域が生じることを抑制することが求められる。
【０００５】
本発明はこのような事情を考慮してなされ、光源の下方に視認が難しい領域が生じることを抑制できる椅子ユニットを提供することを目的とする。
【課題を解決するための手段】
【０００６】
上記課題を解決するために、本発明の一態様に係る椅子ユニットは、背凭れを有する椅子と、前記背凭れの後方に配置された光源を有する照明装置と、上下方向に延びる延在部材と、を備え、前記背凭れは、側面視において、上方に向かうに従って後方に向かう傾斜部を有し、側面視において、前記延在部材は、前記傾斜部の下面のうち前記光源よりも下方に位置する部分から垂下した仮想線と、前記背凭れとの間の部分を覆っている。
【０００７】
上記態様によれば、光源の下方であって、仮に延在部材が無いとした場合に光源の光が届きにくい部分が、延在部材によって覆われる。このため、光源の下方に視認が難しい領域が生じることを抑制できる。
【０００８】
ここで、前記照明装置は、前記光源と、前記光源に電気的に接続された配線部とを有し、前記配線部は前記延在部材の内部に収容されていてもよい。
【０００９】
この場合、背凭れに開口を形成してその内部に光源を配置したり、配線部を背凭れの内部に収容したりする必要が無くなる。したがって、座り心地を良好にするために背凭れに設けるクッションの厚みや、背凭れ自体の厚みなどを小さくしても、着座感を損なうおそれがない。
【００１０】
また、前記延在部材は、左右方向に間隔を空けて配置された一対の側壁と、前記側壁同士を接続する接続部と、を有していてもよい。
【００１１】
この場合、一対の側壁と接続部とで囲まれた空間内に、照明装置の配線部を収容することができる。
【００１２】
また、上記態様の椅子ユニットは、床面に固定される固定部材をさらに備え、前記側壁および前記接続部の少なくとも一方が前記固定部材に固定されていてもよい。
【００１３】
この場合、側壁または接続部を固定部材に固定することで、固定部材を介して延在部材を床面に固定することができる。この構成により、延在部材の設置作業が容易となる。
【００１４】
また、前記照明装置は、前記光源と、前記光源を収容する本体部と、を有し、側面視において、前記延在部材の後端面は、前記本体部の前端から垂下した直線上に延在していてもよい。
【００１５】
この場合、延在部材の後端面が、光源に照らされてさらに視認しやすくなる。したがって、歩行者は延在部材の後端面を視認することで、床面の歩行可能な領域をより確実に認識することができる。
【発明の効果】
【００１６】
本発明の上記態様によれば、光源の下方に視認が難しい領域が生じることを抑制可能な椅子ユニットを提供することができる。
【図面の簡単な説明】
【００１７】
【図１】第１実施形態に係る椅子ユニットの斜視図である。
【図２】図１の椅子ユニットの側面図である。
【図３】図１の延在部材の単体斜視図である。
【図４】図１の固定部材の単体斜視図である。
【図５】図２のＶ−Ｖ断面矢視図である。
【図６】第２実施形態に係る椅子ユニットの斜視図である。
【図７】図６の椅子ユニットの側面図である。
【発明を実施するための形態】
【００１８】
（第１実施形態）
以下、第１実施形態の椅子ユニットについて図面に基づいて説明する。
図１に示すように、椅子ユニット１Ａは、椅子１０と、照明装置２０と、延在部材３０と、固定部材４０と、を備えている。椅子ユニット１Ａは、使用時に、例えば段差を有する床面Ｇに設置される。図１の例では、椅子ユニット１Ａは床面Ｇのうち、下段ｇ１と上段ｇ２とに跨って設置されている。照明装置２０は、歩行者が上段ｇ２を歩く際に、通路（上段ｇ２）を照らすために用いられる。
【００１９】
（方向定義）
本実施形態では、ＸＹＺ直交座標系を設定して各構成の位置関係を説明する。Ｘ軸方向は左右方向であり、Ｙ軸方向は前後方向であり、Ｚ軸方向は上下方向である。左右方向から見ることを側面視という。上下方向に直交する断面を横断面という。
椅子ユニット１Ａは、劇場や講堂などの室内において、左右方向に並べた状態で複数設置して用いることができる。
【００２０】
椅子１０は、背凭れ１１と、肘掛１２と、着座面を有する座（不図示）と、を有している。背凭れ１１の少なくとも一部は、上段ｇ２よりも上方に位置している。図２に示すように、背凭れ１１は、傾斜部１１ａと非傾斜部１１ｂとを有している。傾斜部１１ａは、側面視（図２）において、上方に向かうに従って漸次後方に向かうように傾斜している。傾斜部１１ａの下面についても、上方に向かうに従って漸次後方に向かうように傾斜している。傾斜部１１ａは、側面視において、直線状に傾斜していてもよいし、曲線状に傾斜していてもよい。非傾斜部１１ｂは、傾斜部１１ａの上方に位置しており、上下方向に沿って傾斜せずに延びている。なお、背凭れ１１は非傾斜部１１ｂを有していなくてもよい。また、傾斜部１１ａは必ずしも鉛直方向に対して傾斜していなくてもよい。例えば、傾斜部１１ａは、上段ｇ２の歩行面の法線に対して傾斜していてもよい。
【００２１】
図２に示すように、照明装置２０は、本体部２１と、配線部２２と、光源２３と、を有している。本体部２１は略直方体状に形成されている。光源２３は本体部２１内に収容されている。照明装置２０は、光源２３が発する光が、本体部２１の下面から下方に向けて照射するように構成されている。配線部２２は光源２３に電気的に接続されている。配線部２２は、光源２３への電力の供給または制御信号の伝達などに用いられる。配線部２２は、延在部材３０の開口部３４（図３参照）および固定部材４０の開口部４１ａ（図４参照）を通じて、上段ｇ２の内部に引き回されている。
【００２２】
本体部２１および光源２３は、背凭れ１１の後方に配置されている。本体部２１および光源２３の左右方向における位置は、背凭れ１１の左右方向における中央部の位置と一致している。ただし、本体部２１および光源２３の左右方向における位置は、背凭れ１１に対してずれていてもよい。
【００２３】
本体部２１は、延在部材３０の上端部に取り付けられている。本体部２１の前方の端面は、延在部材３０の後方の端面に接している。
例えば本体部２１を背凭れ１１に直接取り付けることも可能であるが、この場合には、背凭れ１１にねじ穴などを設ける必要が生じうる。そして、ねじ穴などを設けた場合には、座り心地を損なわないようにするために、背凭れ１１の前面に配置するクッションの厚みが大きくなる。これに対して、本体部２１を延在部材３０に取り付けることで、座り心地を良好にするために必要なクッションなどの厚みを小さくすることができる。
【００２４】
図１に示すように、延在部材３０は、左右方向において照明装置２０と同じ位置に配置されている。また、延在部材３０の少なくとも一部は、上下方向において、照明装置２０よりも下方に位置している。
【００２５】
図３に示すように、延在部材３０は、一対の側壁３１、３２と、側壁３１、３２同士を接続する接続部３３と、を有している。一対の側壁３１、３２は、左右方向に間隔を空けて配置されている。側壁３１、３２の一部は、上下方向および前後方向に延びる板状に形成されている。接続部３３の一部は、左右方向および上下方向に延びる板状に形成されている。側壁３１、３２にはそれぞれ、孔部３１ａ、３２ａが形成されている。孔部３１ａ、３２ａは、各側壁３１、３２を左右方向に貫通している。本実施形態における孔部３１ａ、３２ａは座ぐり孔であり、左右方向における外側から、ネジなどの締結部材を挿入可能となっている。側壁３１と側壁３２との間には、収容部３５が形成されている。収容部３５は、上下方向に延びている。収容部３５は、延在部材３０の前端面から後方に向けて窪む凹部である。収容部３５内には、照明装置２０の配線部２２を収容することができる。
【００２６】
図３に示すように、延在部材３０の上端部には、この延在部材３０を前後方向に貫通する開口部３４が形成されている。開口部３４は、照明装置２０の本体部２１によって後方から覆われている（図２参照）。
図５に示すように、上下方向に直交する横断面視において、延在部材３０は、前方に向けて開口するＣ字状に形成されている。
【００２７】
図４に示すように、固定部材４０は、基部４１と、一対の側板４２、４３と、を有している。基部４１は、床面Ｇに固定される部位である。基部４１は、前後方向および左右方向に延びる板状に形成されている。上下方向から見て、基部４１は、前後方向よりも左右方向に長い長方形状に形成されている。基部４１には、開口部４１ａが形成されている。開口部４１ａは基部４１を上下方向に貫通している。開口部４１ａは、上下方向から見て、一対の側板４２、４３の間に位置している。
【００２８】
一対の側板４２、４３は、基部４１の上面から上方に向けて延びている。側板４２、４３は、左右方向に間隔を空けて配置されている。側板４２、４３は、前後方向および上下方向に延びる板状に形成されている。側板４２、４３の上部の前後方向における幅は、上方に向かうに従って漸次小さくなっている。
【００２９】
側板４２、４３にはそれぞれ、孔部４２ａ、４３ａが形成されている。孔部４２ａ、４３ａは、各側板４２、４３を左右方向に貫通している。孔部４２ａの左右方向および上下方向における位置は、延在部材３０の孔部３１ａの位置に対応している。孔部４３ａの左右方向および上下方向における位置は、延在部材３０の孔部３２ａの位置に対応している。
【００３０】
延在部材３０の孔部３１ａおよび固定部材４０の孔部４２ａには、共通のネジ部材が取り付けられる。延在部材３０の孔部３２ａおよび固定部材４０の孔部４３ａには、共通のネジ部材が取り付けられる。これにより、延在部材３０の側壁３１、３２が固定部材４０に固定される。また、固定部材４０の基部４１は床面Ｇに固定されるため、延在部材３０は固定部材４０を介して床面Ｇに固定される。
【００３１】
図５に示すように、一対の側板４２、４３は、Ｃ字状に形成された延在部材３０の内側に位置している。より詳しくは、延在部材３０の側壁３１、３２の間に側板４２、４３が位置している。また、側板４２、４３が延在部材３０の接続部３３によって後方から覆われている。このため、延在部材３０の内部に収容される配線部２２が視認されにくくなり、椅子ユニット１Ａの外観が良好になる。
【００３２】
ところで本実施形態のように、照明装置２０の光源２３が背凭れ１１の後方に配置され、かつ背凭れ１１が傾斜部１１ａを有している場合、光源２３の光が傾斜部１１ａの下方まで届かずに、光源２３の下方に視認が難しい領域が生じる場合がある。上段ｇ２を歩く歩行者にとっての歩きやすさを考慮すると、光源２３の下方に視認が難しい領域が生じるのを抑制することが好ましい。
【００３３】
そこで本実施形態では、図３に示すように、延在部材３０の側壁３１、３２の下部の前後方向における幅が、下方に向かうに従って漸次大きくなっている。また、側壁３１、３２の下部は、背凭れ１１の傾斜部１１ａに沿って傾斜しており、傾斜部１１ａの下方に入り込んでいる（図２参照）。このような形状により、延在部材３０は、側面視において、背凭れ１１の傾斜部１１ａの下面のうち光源２３よりも下方に位置する部分から垂下した仮想線Ｌと、背凭れ１１との間の空間を覆っている。
【００３４】
この構成により、光源２３の下方であって、仮に延在部材３０が無いとした場合に光源２３の光が届きにくい部分が、延在部材３０によって覆われる。このため、光源２３の下方に視認が難しい領域が生じることを抑制できる。
【００３５】
また、側面視において、延在部材３０の後端面は、照明装置２０の本体部２１の前端（前方の端部）から垂下した直線上に延在している。この構成により、延在部材３０の後端面が、光源２３に照らされてさらに視認しやすくなっている。したがって、歩行者は延在部材３０の後端面を視認することで、床面Ｇ（上段ｇ２）の歩行可能な領域をより確実に認識することができる。
【００３６】
また、照明装置２０の本体部２１は延在部材３０に取り付けられ、配線部２２は延在部材３０の内部に収容されている。この構成により、本体部２１を直接的に背凭れ１１に取り付ける場合と比較して、座り心地を良好にするために背凭れ１１に設けるクッションの厚みや、背凭れ１１自体の厚みなどを小さくしても着座感を損なうおそれがない。
【００３７】
また、延在部材３０が一対の側壁３１、３２と、側壁３１、３２同士を接続する接続部３３と、を有し、側壁３１、３２が固定部材４０に固定されている。この構成により、一対の側壁３１、３２と接続部３３とで囲まれた空間（収容部３５）内に、照明装置２０の配線部２２を収容することができる。さらに、固定部材４０を介して、延在部材３０を床面Ｇに固定することが可能であり、延在部材３０の設置作業が容易となる。
なお、接続部３３が固定部材４０に固定されていても、上記と同様の作用効果が得られる。したがって、側壁３１、３２および接続部３３の少なくとも一方が固定部材４０に固定されていてもよい。
【００３８】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００３９】
図６に示すように、本実施形態の椅子ユニット１Ｂでは、延在部材３０の左右方向における位置が、２つの背凭れ１１の間に位置する肘掛１２の位置と一致している。また、背凭れ１１は非傾斜部１１ｂを有しておらず、全体が傾斜部１１ａとなっている。
【００４０】
図７に示すように本実施形態でも、側面視において、傾斜部１１ａのうち光源２３よりも下方に位置する部分から垂下した仮想線Ｌと、背凭れ１１との間の部分が、延在部材３０によって覆われている。これにより、第１実施形態と同様の作用効果が得られる。
【００４１】
また、本実施形態では、側面視において、照明装置２０の本体部２１が背凭れ１１の後端よりも前方に位置している。このため、上段ｇ２の前後方向における通路幅が照明装置２０によって狭くなることが抑えられている。したがって、上段ｇ２を歩く歩行者にとっての歩きやすさをより向上させることができる。
【００４２】
なお、本発明の技術的範囲は前記実施の形態に限定されず、本発明の趣旨を逸脱しない範囲において種々の変更を加えることが可能である。
【００４３】
例えば、前記実施形態では、延在部材３０は固定部材４０を介して床面Ｇに固定されていた。しかしながら、延在部材３０は椅子１０の一部（例えば背凭れ１１または肘掛１２）に固定されていてもよい。この場合、固定部材４０は無くてもよい。あるいは、椅子１０に固定部材を固定し、当該固定部材に延在部材を固定してもよい。
また、照明装置２０は本体部２１を有していなくてもよい。この場合、光源２３が延在部材３０内に埋め込まれていてもよい。
また、上記態様では、延在部材３０の左右方向における幅が、本体部２１の左右方向における幅と略同じである。しかしながら、延在部材３０の左右方向における幅は適宜変更可能であり、例えば本体部２１の左右方向における幅より大きくてもよい。
また、光源２３が発する光は、下向きに照射されてもよいし、後下方（下方と後方との間）向きに照射されてもよい。
【００４４】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４５】
１Ａ、１Ｂ…椅子ユニット  １０…椅子  １１…背凭れ  １１ａ…傾斜部  ２０…照明装置  ２１…本体部  ２２…配線部  ２３…光源  ３０…延在部材  ３１、３２…側壁  ３３…接続部  ４０…固定部材  Ｌ…仮想線
【図１】
2020048956.tif 000003
【図２】
2020048956.tif 000004
【図３】
2020048956.tif 000005
【図４】
2020048956.tif 000006
【図５】
2020048956.tif 000007
【図６】
2020048956.tif 000008
【図７】
2020048956.tif 000009